(57)【要約】【課題】パーツ数が少なく、原料を簡単な操作で添加、混合できるボトルキャップを提案する。【解決手段】ボトルの口部を取り囲んでそれに着脱自在に係合する外筒（１）と、この外筒（１）に一体連結しボトルの口部内側において垂下される内筒（２）とを備え、前記内筒（２）の一方に、容器の口部を密封するとともにボトルの底部に向けて変位可能な障壁（３）を設け、もう一方に、該障壁（３）と協働して内筒（２）を密閉してその内部に原料の充填空間（Ｍ）を形成する薄肉のシート（４）を配設してなり、前記障壁（３）は、ボトルの底部に向けた変位にて薄肉のシート（４）を突き破って充填空間（Ｍ）内の原料をボトル内に落下させる穿孔体（５）を有する。【選択図】図１
2007276786.tif 000002
【特許請求の範囲】
【請求項１】
ボトルの口部を取り囲んでそれに着脱自在に係合する外筒と、この外筒に一体連結しボトルの口部内側において垂下される内筒とを備え、
前記内筒の一方に、容器の口部を密封するとともにボトルの底部に向けて変位可能な障壁を設け、もう一方に、該障壁と協働して内筒を密閉してその内部に原料の充填空間を形成する薄肉のシートを配設してなり、
前記障壁は、ボトルの底部に向けた変位にて薄肉のシートを突き破って充填空間内の原料をボトル内に落下させる穿孔体を有することを特徴とするボトルキャップ。
【請求項２】
前記障壁は、外側に向けて凸となるドーム形状を有する請求項１記載のボトルキャップ。
【請求項３】
前記外筒は、内筒の障壁を取り囲み該障壁の表面よりも高いレベルを有する一端開放型の周壁を有する請求項１又は２記載のボトルキャップ。
【請求項４】
前記周壁は、開放端に着脱自在で該周壁と協働して障壁保護用の内部空間を形成するカバーを有する請求項３記載のボトルキャップ。
【請求項５】
前記外筒を容器の口部に係止するバージンベルトを有する請求項１〜４の何れかに記載のボトルキャップ。
【発明の詳細な説明】
【技術分野】
【０００１】
本発明は、ペットボトル等の容器の口部に装着され、該容器の開封に合わせて原料を容器内の内容物（液体）に添加、混合するのに好適な合成樹脂製のボトルキャップに関するものである。
【背景技術】
【０００２】
近年、お茶や果汁飲料、健康食品、ミネラルウオータ等を充填したボトルでは、外気温や紫外線あるいは酸化等による軽挙をできるだけ最小限に留めて品質の長期安定化を図る観点から、キャップの内側に原料（粉末、液体、固体状のもの）を充填しておき、ボトルの開封に合わせて該原料を液体に添加、混合するタイプのものが多数出回っている（例えば、特許文献１参照）。
【特許文献１】特開平５−７７０５４号公報
【発明の開示】
【発明が解決しようとする課題】
【０００３】
ところで、従来のこの種のキャップは、部品点数が多く製造コストの軽減を図るにも限界があるうえ、キャップを一旦閉め込むことによってキャップ内の原料をボトル内に落下させる作業が必要であり、構造の簡素化、簡便な操作でもって原料を添加できるキャップの開発が望まれていた。
【０００４】
本発明の課題は、部品点数を極力少なくし、簡単な動作でもって原料を添加、混合できる新規なキャップを提案するところにある。
【課題を解決するための手段】
【０００５】
本発明は、ボトルの口部を取り囲んでそれに着脱自在に係合する外筒と、この外筒に一体連結しボトルの口部内側において垂下される内筒とを備え、
前記内筒の一方に、容器の口部を密封するとともにボトルの底部に向けて変位可能な障壁を設け、もう一方に、該障壁と協働して内筒を密閉してその内部に原料の充填空間を形成する薄肉のシートを配設してなり、
前記障壁は、ボトルの底部に向けた変位にて薄肉のシートを突き破って充填空間内の原料をボトル内に落下させる穿孔体を有することを特徴とするボトルキャップである。
【０００６】
上記の構成になるボトルキャップは、前記障壁が、外側に向けて凸となるドーム形状を有するものが望ましい。
【０００７】
また、前記外筒については、内筒の障壁を取り囲み該障壁の表面よりも高いレベルを有する一端開放型の周壁を有するものが好ましく、前記周壁については、開放端に着脱自在で該周壁と協働して障壁を保護する内部空間を形成するカバーを配置することができ、前記外筒と容器の口部との相互間には該外筒を容器の口部に係止するバージンベルトを配置するのが望ましい。
【発明の効果】
【０００８】
内筒と一体になる障壁をボトルの底部に向けて押圧、変位させると、該障壁に連結する穿孔体が薄肉のシートを突き破るため、充填空間内の原料がボトル内に速やかに落下することになる。
【発明を実施するための最良の形態】
【０００９】
以下、図面を用いて本発明をより具体的に説明する。
図１は本発明にしたがうボトルキャップの実施の形態の外観斜視図であり、図２はその断面を示した図である。
【００１０】
図１、２における１はボトルの口部を取り囲んでそれに着脱自在に係合する外筒、２は外筒１に天板１ａを介して一体連結しボトルの口部内側において垂下される内筒である。
【００１１】
３は内筒２の一方（上端）に一体的に設けられた上向きに凸となるドーム型の障壁であって、この障壁３は容器の口部を密封するとともにボトルの底部に向けて変位させることができるようになっている。
【００１２】
また、４は内筒２のもう一方（下端）に設けられ内筒２を密封してその内部に原料の充填空間Ｍを形成する薄肉のシート、５は障壁３の下面に一体的に設けられた穿孔体、６は外筒１の上端部で内筒２を取り囲みその表面よりも高いレベルｈを有する一端開口型の周壁、そして７は外筒１を容器の口部に係止するバージンベルトである。
【００１３】
上記の構成になるボトルキャップは、障壁３をボトルの底部へ向けて押圧し図２の仮想線で示すように変位させるとそれにつながる穿孔体５がシート４を突き破ることになり、充填空間Ｍ内の原料はボトル内へと速やかに落下することになる。
【００１４】
シート４を突き破ったのちボトルを揺さぶるなどして内容物と原料を均一に混合させたのち、バージンベルト７を引きちぎり、外筒１を内筒２とともに取り外すことで内容物の注出が可能となる。
【００１５】
本発明にしたがうキャップはシート４を除くと１パーツで構成できるもので、製造コストの軽減が可能であり、しかも障壁３を押し込む簡単な動作のみで原料をボトル内に落下させることができる。
【００１６】
シート４は原料を充填空間Ｍ内に保持することが可能で、高いシール性が確保できるとともに穿孔体５によって突き破ることが可能であればとくに材質については限定されない。内筒２の端面への接着は接着剤を用いてもよいし熱溶着によって接着してもよい。
【００１７】
図３は本発明にしたがうボトルキャップの他の実施の形態を示したものである。図中８は周壁６の開放体に着脱自在で該周壁６と協働して内部空間を形成するカバーである。この構造のキャップは、カバー８の分だけパーツ数が増えることになる（２パーツ）が、ボトルの流通過程等において障壁３に過って負荷がかかったり悪戯等よりシート４が突き破られるのを防止することができるものであり、該カバー８は外筒１の周りに配置されるシュリンクラベルＳによって固定する。
【００１８】
カバー８は硬質材でもよいし軟質材でもよいが、負荷が加えられた場合であっても障壁３を変位させることがない程度の強度を有するものを適用する。
【００１９】
本発明にしたがうボトルキャップは、ポリプロピレン（ＰＰ）や高密度ポリエチレン樹脂（ＨＤＰＥ）等で構成できるものであるが、内容物等の種類の違いに応じてその材質は適宜変更し得る。
【００２０】
ボトルキャップの全体を柔軟性のある樹脂で成形した場合、開栓に際して穿孔体５がシート４を突き破ることができないことも懸念されるのでこの場合、穿孔体５のみを別の樹脂で構成してもよい。
【産業上の利用可能性】
【００２１】
パーツ数が少なく、原料の添加、混合を簡単に行い得るボトルキャップが提供できる。
【図面の簡単な説明】
【００２２】
【図１】本発明にしたがうボトルキャップの外観斜視図である。
【図２】図１に示したボトルキャップの断面を示した図である。
【図３】本発明にしたがうボトルキャップの他の実施の形態を示した図である。
【符号の説明】
【００２３】
１  外筒
１ａ  天板
２  内筒
３  障壁
４  シート
５  穿孔体
６  習癖
７  バージンベルト
８  カバー
Ｓ  シュリンクラベル
【図１】
2007276786.tif 000003
【図２】
2007276786.tif 000004
【図３】
2007276786.tif 000005